【事件の表示】
　特許第３３３７６９７号「画像処理方法」の請求項１に係る特許に対する特許異議の申立てについて、次のとおり決定する。
【結　論】
　訂正を認める。
　特許第３３３７６９７号の請求項１に係る特許を維持する。
【理　由】
１．手続の経緯　　
　特許第３３３７６９７号の請求項１に係る特許についての出願は、平成３年１月１４日に出願され、平成１４年８月９日に設定登録がされ、その後、その請求項１に係る特許について、特許異議申立人鈴木利之により特許異議の申立てがなされ、取消理由が通知され、その指定期間内である平成１６年１月１９日に訂正請求がなされたたものである。
　
２．訂正の適否についての判断
２．１訂正の内容
　平成１６年１月１９日付けの訂正請求において、特許権者が求めている訂正の内容は、以下のとおりである。
　
　訂正事項ａ
　特許請求の範囲の請求項１の「入力カラーデータをカラー画像出力装置の色再現範囲に応じて変換する画像処理方法であって、
　彩度に応じて、均等知覚色空間上の色相を変化させる非線形ラインを、前記均等知覚色空間上の複数の異なる色相の夫々について用意し、
　前記入力カラーデータの均等知覚色空間上の色相に対応する前記非線形ラインを用いて、前記入力カラーデータを前記カラー画像出力装置の色再現範囲内に変換することを特徴とする画像処理方法。」を明瞭でない記載の釈明を目的として、
　「入力カラーデータをカラー画像出力装置の色再現範囲に応じて変換する画像処理方法であって、
　彩度に応じて、人の知覚上の色相がずれないように補正するために均等知覚色空間上の位相角度を変化させる非線形ラインを、前記均等知覚色空間上の複数の異なる位相角度の夫々について用意し、
　前記入力カラーデータの均等知覚色空間上の色相に対応する前記非線形ラインを用いて、前記入力カラーデータを前記カラー画像出力装置の色再現範囲内に変換することを特徴とする画像処理方法。」と訂正する。
　
　訂正事項ｂ
　明細書の段落【００１０】の「本実施例において、図２（Ａ）はＬ，ａ，ｂ，Ｙ，Ｉ，Ｑ等の均等知覚色空間を示しているが、別の色空間であつても構わない。図２（Ａ）における色空間を切断曲線２０３で切断した時、その断面の色空間圧縮がどのようになつているかを示したのが図２（Ｂ）である。図２（Ｂ）において、Ｆは全色空間の外縁を示し、Ｅはプリンタによる色再現が可能な範囲の外縁、Ｄはプリンタによる色ずれが発生しない再現範囲、そしてＣは色空間の中心を示している。」を、誤記の訂正を目的として、
　「本実施例において、図２（Ａ）はＬ，ａ，ｂ等の均等知覚色空間を示しているが、別の色空間であつても構わない。図２（Ａ）における色空間を切断曲線２０３で切断した時、その断面の色空間圧縮がどのようになつているかを示したのが図２（Ｂ）である。図２（Ｂ）において、Ｆは全色空間の外縁を示し、Ｅはプリンタによる色再現が可能な範囲の外縁、Ｄはプリンタによる色ずれが発生しない再現範囲、そしてＣは色空間の中心を示している。」と訂正する。
　
　訂正事項ｃ
　明細書の段落【００２１】の「１０１は色変換部で、順次入力されるＲ，Ｇ，Ｂの画像データをＹ，Ｉ，Ｑの色空間に変換している。ここではＲ，Ｇ，Ｂの画像データをＬａｂ空間に変換し、ＹとＬ、Ｉとａ、Ｑとｂを同様に扱うことも可能であるが、ここではその説明を省略する。色変換部１０１でＹ，Ｉ，Ｑの色空間に変換された画像データは、角度計算部１０２に入力される。この角度計算部１０２では、図４に示すようにＩ，Ｑの直交座標系にある画像データの画素データＰが、Ｑ軸より何度回転しているかを示す角度θ（注１）を求める。これは画素データＰ（Ｉ，Ｑ）座標を（ｉ，ｑ）とすれば、  tan-1 i/q （ｑ≠０）、又は sin-1 i/(i2+q2 )1/2　 cos-1q/( i2+q2 )1/2　　　　　　［（i2+q2 ）1/2 ≠０］（注２）
の内、いずれかの式を用いることにより角度θ（注１）を求めることができる。」を、明りょうでない記載の釈明及び誤記の訂正を目的として、
　「１０１は色変換部で、順次入力されるＲ，Ｇ，Ｂの画像データをＹ，Ｉ，Ｑの色空間に変換している。ここでは参考例としてＲ，Ｇ，Ｂの画像データをＹ，Ｉ，Ｑの色空間に変換した例で説明するが、本発明の実施例は、Ｒ，Ｇ，Ｂの画像データをＬａｂ空間に変換し、参考例のＹとＬ、Ｉとａ、Ｑとｂを同様に扱うことにより実施されるが、ここではその説明を省略する。色変換部１０１でＹ，Ｉ，Ｑの色空間に変換された画像データは、角度計算部１０２に入力される。この角度計算部１０２では、図４に示すようにＩ，Ｑの直交座標系にある画像データの画素データＰが、Ｑ軸より何度回転しているかを示す角度θ（注１）を求める。これは画素データＰ（Ｉ，Ｑ）座標を（ｉ，ｑ）とすれば、  tan-1 i/q （ｑ≠０）、又は sin-1 i/(i2+q2 )1/2　
 cos-1q/( i2+q2 )1/2　　　　　　［（i2+q2 ）1/2 ≠０］（注２）
の内、いずれかの式を用いることにより角度θ（注１）を求めることができる。」と訂正する。
　
（注１）訂正請求書の記載とは異なるが、設定登録時の明細書に記載された「θ」の誤記であることは明かであり、訂正明細書には正しく記載されているので、上記のように認定する。
（注２）訂正請求書に記載の式とは異なるが、訂正明細書には設定登録時の明細書に記載された式と同じ式が記載されているので、上記のように認定する。
　
２．２訂正の目的の適否、新規事項の有無、及び特許請求の範囲の拡張・変更の存否
　
　訂正事項ａの「人の知覚上の色相がずれないように補正するために」との文言は出願当初の明細書には記載がないが、出願当初の明細書の
「　　【０００３】
　【発明が解決しようとする課題】
　このため従来では、原稿画像のハードコピーやソフトコピー等を行う場合、オリジナル原稿や、オリジナルの画像データの色が、プリンタ側で忠実に再生されずに、原稿画像と異なる色で再生されてしまうという問題があつた。」、
「　　【００１３】
　また図２（Ｃ）に示したように、切断線２０３により切断される線上の色は、同じ色相の色を示している。」、
「　　【００４７】
　なお、本実施例において、ｒは彩度方向を示し、θは色相を示している。このため本実施例ではｒを変換し、θ成分は変換しないようにして、色空間圧縮により色相を変化させずに、彩度のみを変換することができる。」、
及び図２Ａ−Ｃ等の記載から、上記「同じ色相」及び「色相を変化させずに」と記載された色相が人の知覚上の色相を意味することは、当業者に明かである。
　また、「位相角度」をとする点は、出願当初の明細書に
「　　【００１４】
　ところが図２（Ｂ）において、切断線２０３を示す線分ＣＤＥＦは、図２（Ａ）に示すように実際には曲線であるので、この切断線２０３上の各点の位置の、点Ｃより水平に右に引いた水平線２０５に対する位相角度（これを色相という）は、少しずつ異なっている。そこで、線分ＣＦのからの位相ずれの角度を点ＳＳでθA 、点ＳＥでθB とすれば、もし色空間圧縮で点ＳＳの位置の色が位相を変えずに点ＳＥの点に圧縮されるならば、このときの位相角度は原理的に（θB−θA ）だけ大きくすれば良いことがわかる。」との記載があり、そのような角度を人の知覚上の色相とは正確には異なるものの、色相と呼び慣わされてもいるが、本願の特許請求の範囲の記載では明確に区別すべきものであり、訂正により明りょうになったものである。
　さらに、訂正事項ｂ及びｃについては、出願当初の明細書の特許請求の範囲の記載では色空間に関する限定がなかったものを、平成１２年１２月５日付けの手続補正書により均等知覚色空間とされたのにともない、発明の詳細な説明の記載もそれに合わせて補正されるべきところ、何ら補正がされなかったため不明りょうとなった点を、特許請求の範囲の記載に整合させたものである。
　
　したがって、上記各訂正事項は、誤記の訂正または明りょうでない記載の釈明を目的とした明細書の訂正に該当し、いずれも、新規事項の追加に該当せず、実質上特許請求の範囲を拡張し、または変更するものではない。
　
２．３むすび
　以上のとおりであるから、上記訂正は、特許法の規定に適合するので、当該訂正を認める。
　
３．特許異議の申立てについて
３．１申立の理由の概要
　特許異議申立人は、特許第３３３７６７９号の請求項１に係る発明の特許に対して、証拠として、甲第１号証（特願平２−３２１６８６号（特開平４−１９６６７６号公報））及び甲第２号証（特開昭６３−２５４８８９号公報）を提示し、請求項１に係る発明の特許は特許法第２９条第１項第３号、特許法第２９条の２の規定に違反してなされたものであるから、また、均等知覚色空間は甲第３号証（「カラー画像工学」、オーム社、平成９年４月２５日、第３８−３９頁）に示されるとおりのものであるから、それに反する記載等があり、また、本件発明は明細書に記載された効果を奏さないものであるから、本件明細書の記載は特許法第３６条第４項に規定する要件を満たしていないので、本件発明についての特許を取り消すべき旨主張している。
　
３．２本件発明
　特許第３３３７６７９号の請求項１に係る発明は、訂正明細書の特許請求の範囲の請求項１に記載されたとおりのものである。
　　
３．３取消理由の概要
　平成１５年１１月７日付けで通知された取消理由の概要は、本件明細書の記載は特許法第３６条第４項、第５項及び第６項に規定する要件を満たしていないというものである。
　
３．４判断
　上記訂正により、本件明細書の特許請求の範囲において、人の知覚上の色相と均等知覚色空間上の位相角度とが明確に区別され、またどのような補正を行うものか明かとなり、さらに、「均等知覚色空間」との記載が文言どおりの意味であることが明らかになったので、本件明細書の記載は特許法第３６条第４項、第５項及び第６項に規定する要件を満たしている。
　また、本件発明は「彩度に応じて、人の知覚上の色相がずれないように補正するために均等知覚色空間上の位相角度を変化させる非線形ラインを、前記均等知覚色空間上の複数の異なる位相角度の夫々について用意し、
　前記入力カラーデータの均等知覚色空間上の色相に対応する前記非線形ラインを用いて、前記入力カラーデータを前記カラー画像出力装置の色再現範囲内に変換すること」で、明細書に記載された効果を奏するものであるのに対して、甲第１号証及び甲第２号証には、そのような補正を行うことは記載も示唆もされていない。
　さらに、均等知覚色空間上の位相角度と人の知覚上の色相とが一致しないことは、人の知覚との対応が良好なマンセル表色系のマンセルグリッドをＣＩＥＬＡＢ表色系で示した甲第３号証の図２・９からも明かであり（特に緑、黄緑及び橙の非線形性が顕著である。）、この図と同様の特性を模式的に表したといえる本件の図２Ｃ等から明らかなように、本件発明は明細書に記載された効果を奏するものであり、異議申立の理由に示されているような不備はない。
　
　なお、均等知覚色空間上の位相角度と人の知覚上の色相とが一致しないことが甲第３号証から明かであっても、そのような不一致に起因する色ずれを補正することについて、各甲号証には何らの示唆もないから、本件発明は、各甲号証に基づき当業者が容易に発明をすることができたものでもない。
　
４，むすび
　以上のとおり、特許異議の申立ての理由によっては本件発明についての特許を取り消すことはできない。
　また、他に本件発明についての特許を取り消すべき理由を発見しない。
　よって、結論のとおり決定する。
【異議決定日】
平成１６年３月２日（２００４．３．２）
【訂正の要旨】
審決（決定）の【理由】欄参照。
（５４）【発明の名称】
画像処理方法
（５７）【特許請求の範囲】
　【請求項１】
　入力カラーデータをカラー画像出力装置の色再現範囲に応じて変換する画像処理方法であって、
　彩度に応じて、
人の知覚上の色相がずれないように補正するために
位相角度
位相角度
【発明の詳細な説明】
　【０００１】
　【産業上の利用分野】
　本発明は、カラー画像データの色空間をカラー画像出力装置の色再現範囲に応じて変換する画像処理方法に関するものである。
　【０００２】
　【従来の技術】
　従来より、カラースキャナよりのカラー画像データ（多値データ）を入力し、そのカラー画像データに基づいて、カラープリンタによりカラー記録を行う装置がある。この場合、カラースキャナの色特性（読取り色特性）とプリンタにおける色再生特性（色再現範囲）とが一致しない場合がある。このような場合でも、例えばスキャナよりの多値画像データ（８ビット）の取り得る値（０〜２５５）が、色空間上のどの範囲を示しているか定めることなく、プリンタ側が自機で扱える色空間範囲に適合した画像データであると解釈して、その多値画像データを基に記録していた。
　【０００３】
　【発明が解決しようとする課題】
　このため従来では、原稿画像のハードコピーやソフトコピー等を行う場合、オリジナル原稿や、オリジナルの画像データの色が、プリンタ側で忠実に再生されずに、原稿画像と異なる色で再生されてしまうという問題があった。
　【０００４】本発明は上記従来例に鑑みてなされたもので、カラー画像出力装置の色再現範囲外の色を含む入力カラーデータを、そのカラー画像出力装置で良好に再現する画像処理方法を提供することを目的とする。
　【０００５】
　【課題を解決するための手段】
　上記目的を達成するために本発明の画像処理方法は以下のような工程を備える。即ち、
　入力カラーデータをカラー画像出力装置の色再現範囲に応じて変換する画像処理方法であって、
　彩度に応じて、
人の知覚上の色相がずれないように補正するために
位相角度
位相角度
　【０００６】
　【０００７】
　【０００８】
　【実施例】
　以下、添付図面を参照して本発明の好適な実施例を詳細に説明する。
＜色空間の変換例の説明　（図２、図３）＞
　図２は色空間の範囲を示す図である。
　【０００９】
　図２において、点Ｆを含む閉曲線２０１は、全色空間の外縁を示しており、点Ｅを含む閉曲線２０２は、プリンタが色再現可能な範囲の色空間の外縁を示している。本実施例では、点Ｆを含む閉曲線２０１内、即ち、全色空間（閉曲線２０１）を点Ｅを含む閉曲線２０２の色空間内へ空間圧縮することにより、プリンタにおける色再現性を向上しようとするものである。
　【００１０】
　本実施例において、図２（Ａ）はＬ，ａ，ｂ等の均等知覚色空間を示しているが、別の色空間であつても構わない。図２（Ａ）における色空間を切断曲線２０３で切断した時、その断面の色空間圧縮がどのようになっているかを示したのが図２（Ｂ）である。図２（Ｂ）において、Ｆは全色空間の外縁を示し、Ｅはプリンタによる色再現が可能な範囲の外縁、Ｄはプリンタによる色ずれが発生しない再現範囲、そしてＣは色空間の中心を示している。
　【００１１】
　閉曲線２０１（図２（Ｂ）のＦに相当）で示された全色空間の内、点Ｄを通る閉曲線２０４で囲まれる色空間に含まれる色情報は、そのままプリンタで再現される。そして、閉曲線２０４と閉曲線２０１で囲まれる色空間にある色をプリンタで再現する場合には、閉曲線２０２で囲まれた色空間内に圧縮して、プリンタで再生する。これを示したのが図２（Ｂ）で、切断線上の線分ＤＦは線分ＤＥに圧縮され、線分ＤＦ上の各点はそれぞれ均等な割合で線分ＤＥ上に圧縮される。なお、図２に示されたＣ点は、本実施例の均等色空間の中心位置を示し、その色は白色である。
　【００１２】
　図３は色空間の変換例を示す図で、ここで、与えられた全色空間の各色成分を８ビット（２５５）とした場合をＳ１で示している。そして、これを同じ条件で図２（Ｂ）の如く空間圧縮した時の各色成分の取り得る値の範囲をＳ２で示している。また、Ｓ３はプリンタにおける色再現が可能な範囲を８ビット最大限に活用した場合を示し、最終的には全色空間の点Ｄｉはプリンタにおける色再現が可能なＤｆへ、全色空間の点ＦｉはＥｆに変換されれば良いことになる。
　【００１３】
　また図２（Ｃ）に示したように、切断線２０３により切断される線上の色は、同じ色相の色を示している。
　【００１４】
　ところが図２（Ｂ）において、切断線２０３を示す線分ＣＤＥＦは、図２（Ａ）に示すように実際には曲線であるので、この切断線２０３上の各点の位置の、点Ｃより水平に右に引いた水平線２０５に対する位相角度（これを均等色空間の色相という）は、少しずつ異なっている。そこで、線分ＣＦのからの位相ずれの角度を点ＳＳでθＡ、点ＳＥでθＢとすれば、もし色空間圧縮で点ＳＳの位置の色が位相を変えずに点ＳＥの点に圧縮されるならば、このときの位相角度は原理的に（θＢ−θＡ）だけ大きくすれば良いことがわかる。
　【００１５】
　又、直線分Ｃ，ＳＳの距離をｒＳＳ、直線分Ｃ，ＳＥの距離をｒＳＥとし、曲線分Ｃ，ＳＳの長さをＲＳＳ、曲線分のＣ，ＳＥの長さをＲＳＥとすれば、ＲＳＳとＲＳＥの比はｒＳＳとｒＳＥとの比に近似して考えても実用上問題ない。従って、本実施例では、点Ｃからの点ＳＳ及び点ＳＥまでの直線距離ｒＳＳ，ｒＳＥ等を用いて、色空間における座標を決定することにする。
　【００１６】
　図１１は色相補正テーブル（色相補正テーブル１）のデータ構成を示す図で、このテーブルには、前述した位相角度θＡやθＢ等に相当するデータが書き込まれている。即ち、図２の水平線２０５からの角度θｎと中心点Ｃからの直線距離ｒｎで規定される切断線２０３上の点Ｐの位置（ｒｎ，θｎ）の、直線ＣＦからの位相角度の差をθ（ｒｎ，θｎ）としたとき、各点に対する距離ｒｎと、これに対応した位相角度θとの差を示すデータ（角度）がテーブルとして書込まれている。例えば、θ（ｒｌ，０）は、水平線２０５からの角度０°と中心点Ｃからの直線距離ｒｌで規定される切断線上の点Ｐの位置（ｒｌ，０）を、この点に対応する角度が０°の直線上の点に移動するときの位相角度差を示している。
　【００１７】
　また、特に図示しないが、図１１と同様なテーブル（色相補正テーブル２と呼ぶ）が設けられており、この色補正テーブル２には直線ＦＣ上の点ＳＥ′から曲線分上の点ＳＥの同位相線へ戻す時の角度θＢに相当するものが書き込まれていて、そのデータはθ′（ｒｎ，θｎ）として記述される。
　【００１８】
　従って、色空間圧縮の手順としては、図１１に示す色相補正テーブル１よりθＡを検索して、切断曲線２０３上の点ＳＳより直線ＣＦ上の点ＳＳ′の位置を仮想する。次に、直線ＣＦ上の点ＳＳ′より同じ直線上の点ＳＥ′を距離圧縮により導く。次に、点ＳＥ′より曲線分２０３の点ＳＥを求めるために、色相補正テーブル２よりθＢを検索して、点ＳＥの位相角を求める。これにより、曲線分２０３上の点ＳＳを空間圧縮した点ＳＥを求めることができる。
　【００１９】
　また、この色相補正テーブル１，２のテーブルのデータ容量を減らすためには、データを荒いきざみ幅で持ち、処理時（検索時）に補間したデータを作成すれば良いことは容易に推測できる。又、これら位相角度の差をデータとして記憶するのでなく、この位相角度の差を求めるための関数を用意してもよい。例えば、図１２（Ａ）に示すような、距離ｒと位相各θとの関係を示す関数を位相角ごとに設けても良く、また図１２（Ｂ）に示すように、全ての位相角に対して距離ｒと位相角度θとの関係を示す１つの関数を設けて、計算によりこれらの値を求めるようにしてもよい。図１２（Ｂ）は、縦軸が補正角（θ）で、横軸がｒ／Ｆθとなっている。ここで、Ｆθは色空間の最外縁を示すので、最高値が位相角度に依存せずに必ず″１″となる。
　【００２０】
　本実施例では、前述した色補正テーブル１，２を用いた例を説明する。
＜画像変換回路の説明　（図１）＞
　図１は以上説明した色空間圧縮を実現するための、本実施例の画像変換回路の構成を示すブロツク図である。
　【００２１】
　１０１は色変換部で、順次入力されるＲ，Ｇ，Ｂの画像データをＹ，Ｉ，Ｑの色空間に変換している。ここでは
参考例として
Ｙ，Ｉ，Ｑの色空間に変換した例で説明するが、本発明の実施例は、Ｒ，Ｇ，Ｂの画像データを
、参考例の
実施される
　【００２２】
　また、色変換部１０１の出力はｒ計算部１０３にも入力されており、このｒ計算部１０３では、ｒ＝（ｉ２＋ｑ２）１／２が計算されるとともに、色空間の中心位置Ｃからの距離が計算される。これにより、極座標系での画像データＰの座標（ｒ，θ）が求められる。また、直交座標系では（ｉ，ｑ）＝（ｒｓｉｎθ，ｒｃｏｓθ）としても表わせる。
　【００２３】
　角度計算部１０２の出力θは、色補正テーブル１（１２１）に入力され、切断曲線上の点から直線ＣＦへの位相角度の差が求められる。この差と角度計算部１０２で求められた角度θとが加算器１２２で加算され、切断線２０３上の点の位置が直線ＣＦ上の位置に変換される。この変換された位相差角度は、Ｄテーブル１０４、積算係数ａテーブル１０５及び日積算係数ｂテーブル１０６に入力される。また、この加算器１２２の出力は色相補正テーブル２（１２３）に入力されている。この補正テーブル２（１２３）により、直線上の点の座標を切断曲線上の点に変換するための角度が求められ、加算器１２４により直線上の点が曲線上の点の位置に戻される。また、この補正テーブル２（１２３）には、後述するセレクタ１１２の出力であるｒ３が入力されているため、直線上において距離圧縮された点の曲線上への変換を行うことができる。
　【００２４】
　なお、図３における全色空間の値Ｆｉ，Ｅｉ，Ｄｉは、角度θにより異なり、またプリンタの色再現範囲Ｅｆ，Ｄｆも角度θにより異なる。この角度θ毎に、実際の全色空間範囲における色を示したのが、図５のＤｉ，Ｅｉ，Ｆｉである。ここで、角度θに対するＤｉ，Ｅｉ，Ｆｉのそれぞれを、Ｄｉ（θ），Ｅｉ（θ），Ｆｉ（θ）で表わしている。
　【００２５】
　図５において、Ｆ（０）〜Ｆ（３５９）の内、最大のものが８ビットの場合、″２５５″となる。ここで、角度θの最小単位を１°としたがこれに限定されず、これよりも小さくても、或いは大きくても良い。また、この角度θの差は均一でなくても良い。
　【００２６】
　この実施例では、各角度に対応して、プリンタによる色再現範囲内の量子化データを求めている。各角度θに対するＤｆ，Ｅｆをプリンタの色再現の特性の測定等により求める。こうして、ｂテーブル１０６には角度θに対するＤｆ／Ｄｉが書き込まれ、またａテーブル１０５には角度θごとに（Ｅｆ−Ｄｆ）／（Ｆｉ−Ｄｉ）の値が書き込まれている。
　【００２７】
　ｒ計算部１０３の出力ｒは比較器１０８に入力されると共に、減算部１０７において、ｒ２＝ｒ−Ｄｉ（θ）が計算される。ここで、Ｄｉ（θ）はＤテーブル１０４より出力されるデータで、角度θに対するＤｉを示している。この計算結果であるｒ２（＝ｒ−Ｄｉ（θ））は乗算器１０９に入力され、積係数ａテーブル１０５の出力と乗算される。そして、この乗算器１０９の出力は、加算器１１１で乗算器１１７の出力と加算される。
　【００２８】
　乗算器１１７では、Ｄテーブル１０４の出力Ｄｉ（θ）と積係数ｂテーブル１０６よりのＤｆ（θ）／Ｄｉ（θ）が入力され、その結果としてＤｆ（θ）が出力される。こうして、加算器１１１の出力は、画素データＰ（ｒ，θ）の色空間圧縮後のＰ（ｒ′，θ）となる。但し、画素データＰ（ｒ，θ）のｒがＦｉ（θ）≧ｒ≧Ｄｉの場合である。
　【００２９】
　一方、積係数ｂテーブル１０６の出力は乗算器１１０に与えられて、ここで画像データＰ（ｒ，θ）のｒと乗算される。その結果、Ｄｉ（θ）≧ｒの場合の色空間圧縮後の画像データＰ（ｒ″，θ）のｒ″が求められる。これらのｒ′，ｒ″はセレクタ１１２に入力されて、どちらか一方が選択されてｒ３として出力される。
　【００３０】
　ｒ計算部１０３の出力ｒは比較器１０８に入力され、ここでＤｉ（θ）≧ｒか否か比較され、その比較結果がセレクタ１１２の選択信号として与えられている。これにより、Ｄｉ（θ）≧ｒの時、ｒ３＝ｒ″となるように選択され、それ以外ではｒ３＝ｒ′となるように選択される。
　【００３１】
　このようにして得られた色空間圧縮後のデータｒ３と、色相補正テーブル２（１２３）と加算器１２４とで得られた位相により空間圧縮後の最終的位相が決定されるので、合成部１１３でＰ（ｒ３，θ）として１つのデータになる。色算出部１１４は、Ｐ（ｒ３，θ）より、Ｉ＝ｒ３・ｓｉｎθ，Ｑ＝ｒ３・ｃｏｓθを求め、更に色変換部１０１よりのＹデータを受ける。このようにして揃ったＹ，Ｉ，Ｑデータは、逆色変換部１１５により、Ｙ，Ｉ，ＱからＲ，Ｇ，Ｂ信号に変換される。
　【００３２】
　なお、ここで色変換部１０１、逆色変換部１１５におけるＲ，Ｇ，Ｂ、Ｙ，Ｉ，Ｑ間の変換は線形１次変換であり、
　【００３３】
　【数１】
　以上のようなマトリクス演算で表わせる。そして、この演算は乗算器、加算器を用いた積和演算で実現できる。又、その一部分の積和をＲＯＭに代用させる手法は、一般的に知られているところである。
　【００３４】
　又、図１の破線で示すように、輝度信号ＹによりＩ，Ｑ空間幅が変わるので、図１破線で示すように、Ｙに応じてＤテーブル１０４，積係数ａテーブル１０５，積係数ｂテーブル１０６の複数のテーブルを切換えて、その出力値を変更するのがより望ましい。
＜他の実施例　（図６）＞
　図６は本発明の他の実施例における色空間圧縮を示すもので、プリンタの色再現範囲の限界点Ｅを含む閉曲線２０２（図２）内はそのまま再現し、それ以外の色空間に関しては、限界点Ｅを含む閉曲線２０２上に変換するものである。
　【００３５】
　図１０は前述の第１の実施例の図３に対応するもので、Ｅｉを色空間の中心点Ｃからの距離で表わし、これを８ビットとする。そしてこの距離は、プリンタ再現範囲における中心点ＣからＥｆに変換されれば良いことになる。こうして、Ｅｉ〜Ｅｆの線分上の点は全てＥｆとなる。
　【００３６】
　図８はこの色空間圧縮を実現する第２の実施例の画像処理回路を示すブロツク図で、前述の第１実施例と共通する部分は同じ番号で示し、それらの説明を省略する。
　【００３７】
　この第２実施例ではＤテーブル１０４の代りにＥテーブル４０２が使用される。このＥテーブル４０２は図５に示したデータを格納しているテーブルである。そして、比較器１０８で、Ｐ（ｒ，θ）のｒがＥｉ（θ）＜ｒであれば、セレクタ１１２よりＥテーブル４０２の出力ｒ５＝Ｅｉ（θ）が選択されて、合成部１１３に入力される。
　【００３８】
　また、角度計算部１０２の出力θは、色相補正テーブル１（１２１）と加算器１２２によりＦθの角度が求められ、それが積係数Ｃテーブル６０２に与えられて、Ｙ及びθにより積係数が出力される。この積係数は、θに対するＥｆ（θ）／Ｅｉ（θ）なる値として出力され、これらは各角度θに対してテーブルとして記憶されている。又、輝度信号Ｙに応じて別テーブルを持つても良い。
　【００３９】
　従って、乗算器１１０では画素データＰ（ｒ，θ）に対し、ｒ６＝ｒ×Ｅｆ（θ）／Ｅｉ（θ）なる演算を施して色空間圧縮後のデータが得られる。従って、Ｅｉ（θ）≧ｒの場合に、比較器１０８の結果がセレクタ１１２を制御して、乗算器１１０の出力ｒ６を、ｒ３＝ｒ６として出力する。
　【００４０】
　図７は本発明の第３の実施例における色空間圧縮を示すもので、全色空間の最外縁Ｆを含む閉曲線内に均等に圧縮するものである。
　【００４１】
　図９は、この色空間圧縮を実現する画像処理回路の構成を示すブロック図である。
　【００４２】
　ｒ計算部１０３からの出力は、乗算器１２１で乗算され、合成部１１３に色空間圧縮後のデータとして与えられる。従って、乗算器１２１の出力は、全色空間を８ビット（０〜２５５）としたとき、プリンタによる色再現空間である８ビット（０〜２５５）に変換する時の変換比となる。この変換比は、積係数ｄテーブル６０３より供給される。この積係数ｄテーブル６０３の内容は、図１０に示したＥｆ（θ），Ｆｉ（θ）を使うと、Ｅｆ（θ）／Ｆｉ（θ）となつている。また、この積係数ｄテーブル６０３は輝度信号Ｙ毎に持つても良く、Ｙ情報とθ情報により、１つのテーブル内容が読出されて決定される。また、Ｅｆ（θ），Ｆｉ（θ）の取り得る値は、最大値が″２５５″であつて、角度情報θや輝度情報Ｙにより″２５５″以下の値をとる。
　【００４３】
　ところで、本発明の実施例や他の実施例において、色空間圧縮する部分は全て乗算器を用いて、色空間の中心位置からの距離に比例させる均等的な圧縮を行つたが、本発明はこれに限定されるものでなく、例えば、中心位置からの距離ｒにより色空間圧縮での色差が異なるようにしても良い。また、角度θによりその圧縮の程度を異ならしめても良い。さらに、輝度成分Ｙに関してもＹによつて全色空間が異なるために、圧縮度合を異なるようにしても良い。
　【００４４】
　また、図において、点Ｃを中心として点Ｄを含む閉曲線において、線分ＣＥと線分ＣＤとの比が一定になるようにしても構わないし、線分ＣＤは常に一定でＤを含む閉曲線は点Ｃを中心とする正円になるように設定してもよい。
　【００４５】
　以上説明したように本実施例によれば、プリンタ等の色再現範囲の大部分を忠実に色再現し、一部分は全色空間の圧縮空間となる処理することにより、プリンタの忠実な色再現をほぼ満足し、かつ色再現範囲外の色も連続性を保つて記録・再生できる。
　【００４６】
　また、本実施例によれば、プリンタの色再現範囲の全てを忠実に色再現し、それ以外の色をプリンタの再現色範囲の外縁に近似させたり、色空間全体をプリンタ色再現範囲に圧縮したりすることができる。しかも、同じ色相線上で色空間圧縮ができるので、この色空間圧縮により色相の微妙なずれを生じることがなくなる。
　【００４７】
　なお、本実施例において、ｒは彩度方向を示し、θは色相を示している。このため本実施例ではｒを変換し、θ成分は変換しないようにして、色空間圧縮により色相を変化させずに、彩度のみを変換することができる。
　【００４８】
　【発明の効果】
　以上説明したように本発明によれば、均等知覚色空間上の複数の異なる色相の夫々について用意された非線形ラインを用いて、入力カラーデータをカラー画像出力装置の色再現範囲に変換するので、そのカラー画像出力装置の色再現範囲外の色を含むカラーデータを入力しても、そのカラー画像出力装置で良好に出力できるという効果がある。
【図面の簡単な説明】
　【図１】　本発明の第１の実施例の画像処理回路の構成を示すブロツク図である。
　【図２Ａ】　色空間の範囲を示した図である。
　【図２Ｂ】　色空間の変換例を示した図である。
　【図２Ｃ】　色空間の範囲を示した図である。
　【図３】　色空間の変換例を示した図である。
　【図４】　色空間の範囲を示した図である。
　【図５】　各角度に対応した各種テーブルのデータ内容を説明するための図である。
　【図６】　色空間の変換例を示した図である。
　【図７】　色空間の変換例を示した図である。
　【図８】　第２の実施例の画像処理回路の構成を示すブロツク図である。
　【図９】　第３の実施例の画像処理回路の構成を示すブロツク図である。
　【図１０】　色空間の変換例を示した図である。
　【図１１】　色相補正テーブルの構成例を示す図である。
　【図１２】　色相補正データを関数で示した図である。
　【符号の説明】　
　１０１　色変換部
　１０２　角度計算部
　１０３　ｒ計算部
　１０４　Ｄテーブル
　１０５　積係数ａテーブル
　１０６　積係数ｂテーブル
　１０７　減算部
　１０８　比較器
　１０９，１１０　乗算器
　１１１，１２２，１２３　加算器
　１１２　セレクタ
　１１３　合成部
　１１４　色算出部
　１１５　逆色変換部
　１１７　乗算器
　１２１　色補正テーブル１
　１２３　色補正テーブル２